(57)【特許請求の範囲】
【請求項１】
光フィルタにおけるスペクトルオフセットを軽減するための方法であって：
第1公称波長及び前記第1公称波長における信号帯域幅を有する第1光チャネルを含む第1光信号を、光フィルタにおいて受信する工程；
フィルタリングされた光信号を生成するために、前記第1公称波長で或るパスバンドと共に前記光フィルタをプログラミングする工程；
前記フィルタリングされた光信号の第1光パワー値を測定する工程；
前記信号帯域幅の内の別の波長で前記パスバンドと共に前記光フィルタをプログラミングする工程；
前記別の波長の各々に対する別の光パワー値を測定する工程；
前記第1光パワー値及び前記別の光パワー値に基づいて、最大の光パワー値と前記第1光信号の有効波長とを判定する工程であって、前記第1光チャネルは前記有効波長において最大パワー値を有する、工程；
を有する方法。
【請求項２】
前記別の波長で前記パスバンドと共に前記光フィルタをプログラミングすることが：
前記第1公称波長からの所与の波長間隔に基づいて前記別の波長を選択することを更に含む、請求項1に記載の方法。
【請求項３】
前記別の波長が2つの波長から構成され、前記2つの波長は、前記第1公称波長から、前記所与の波長間隔による正のインターバル、及び、前記所与の波長間隔による負のインターバルにおけるものであり、前記方法は：
前記第1光パワー値と前記2つの波長に対応する2つの別の光パワー値を利用して、前記最大パワー値をスペクトル的に補間する工程；
を更に有する請求項2に記載の方法。
【請求項４】
前記別の波長は、前記第1公称波長付近の複数の波長を含み、前記方法は：
前記第1光パワー値及び前記別の光パワー値のうちの最大値により、前記最大パワー値を選択する工程；
を更に有する請求項2に記載の方法。
【請求項５】
前記所与の波長間隔は、0.5GHz，1GHz及び2GHzのうちの対応する周波数間隔から選択される、請求項2に記載の方法。
【請求項６】
前記別の波長で前記パスバンドと共に前記光フィルタをプログラミングすること、及び、前記別の光パワー値を測定することが：
前記最大パワー値が判定されるまで、前記第1公称波長から所与の波長間隔のステップで前記第1光チャネルをスキャニングすることを含む、請求項1に記載の方法。
【請求項７】
前記所与の波長間隔のステップで前記第1光チャネルをスキャニングすることが、正のインターバル及び負のインターバルを利用することを含む、請求項6に記載の方法。
【請求項８】
第1公称波長及び前記第1公称波長における信号帯域幅を有する第1光チャネルを含む第1光信号を受信する光入力部；
前記第1光信号を受信し、或るパスバンドを伝送し、前記パスバンドをプログラムするための電気入力を受信するように、前記光入力部に結合されるチューナブルフィルタモジュール；
前記パスバンドから光パワー値を測定するフォトディテクタ；
前記フォトディテクタから前記光パワー値を受信し、プロセッサと前記プロセッサにより実行可能な命令を保存する記憶媒体とを含むコントローラ；
を有し、前記プロセッサは：
フィルタリングされた光信号を生成するために、前記第1公称波長で前記パスバンドと共に前記チューナブルフィルタモジュールをプログラミングし；
前記フィルタリングされた光信号の第1光パワー値を測定し；
前記信号帯域幅の内の別の波長で前記パスバンドと共に前記チューナブルフィルタモジュールをプログラミングし；
前記別の波長の各々に対する別の光パワー値を測定し；及び
前記第1光パワー値及び前記別の光パワー値に基づいて、最大の光パワー値と前記第1光信号の有効波長とを判定し、前記第1光チャネルは前記有効波長において最大パワー値を有する、スキャニング光フィルタ。
【請求項９】
前記別の波長で前記パスバンドと共に前記チューナブルフィルタモジュールをプログラミングするための命令は、
前記第1公称波長からの所与の波長間隔に基づいて前記別の波長を選択するための命令を更に有する、請求項8に記載のスキャニング光フィルタ。
【請求項１０】
前記別の波長が、前記第1公称波長から、前記所与の波長間隔による正のインターバル、及び、前記所与の波長間隔による負のインターバルにおける2つの波長から構成され、
前記命令は、前記第1光パワー値と前記2つの波長に対応する2つの別の光パワー値を利用して、前記最大パワー値をスペクトル的に補間するための命令を更に有する、請求項9に記載のスキャニング光フィルタ。
【請求項１１】
前記別の波長は、前記第1公称波長付近の複数の波長を含み、前記命令は：
前記第1光パワー値及び前記別の光パワー値のうちの最大値により、前記最大パワー値を選択するための命令；
を更に有する請求項9に記載のスキャニング光フィルタ。
【請求項１２】
前記所与の波長間隔は、0.5GHz，1GHz及び2GHzのうちの対応する周波数間隔から選択される、請求項9に記載のスキャニング光フィルタ。
【請求項１３】
前記別の波長で前記パスバンドと共に前記チューナブルフィルタモジュールをプログラミングするための命令、及び、前記別の光パワー値を測定するための命令が：
前記最大パワー値が判定されるまで、前記第1公称波長から所与の波長間隔のステップで前記第1光チャネルをスキャンするための命令；
を更に有する請求項8に記載のスキャニング光フィルタ。
【請求項１４】
前記所与の波長間隔のステップで前記第1光チャネルをスキャンするための命令が、正のインターバル及び負のインターバルを利用するための命令を含む、請求項13に記載のスキャニング光フィルタ。
【請求項１５】
スキャニング光フィルタを含む光信号雑音比(OSNR)モニタであって、前記スキャニング光フィルタは：
第1公称波長及び前記第1公称波長における信号帯域幅を有する第1光チャネルを含む第1光信号を受信する光入力部；
前記第1光信号を受信し、或るパスバンドを伝送し、前記パスバンドをプログラムするための電気入力を受信するように、前記光入力部に結合されるチューナブルフィルタモジュール；
前記パスバンドから光パワー値を測定するフォトディテクタ；
前記フォトディテクタから前記光パワー値を受信し、プロセッサと前記プロセッサにより実行可能な命令を保存する記憶媒体とを含むコントローラ；
を有し、前記プロセッサは：
フィルタリングされた光信号を生成するために、前記第1公称波長で前記パスバンドと共に前記チューナブルフィルタモジュールをプログラミングし；
前記フィルタリングされた光信号の第1光パワー値を測定し；
前記信号帯域幅の内の別の波長で前記パスバンドと共に前記チューナブルフィルタモジュールをプログラミングし；
前記別の波長の各々に対する別の光パワー値を測定し；及び
前記第1光パワー値及び前記別の光パワー値に基づいて、最大の光パワー値と前記第1光信号の有効波長とを判定し、前記第1光チャネルは前記有効波長において最大パワー値を有する、OSNRモニタ。
【請求項１６】
前記別の波長で前記パスバンドと共に前記チューナブルフィルタモジュールをプログラミングするための命令は、
前記第1公称波長からの所与の波長間隔に基づいて前記別の波長を選択するための命令を更に有する、請求項15に記載のOSNRモニタ。
【請求項１７】
前記別の波長が、前記第1公称波長から、前記所与の波長間隔による正のインターバル、及び、前記所与の波長間隔による負のインターバルにおける2つの波長から構成され、
前記命令は、前記第1光パワー値と前記2つの波長に対応する2つの別の光パワー値を利用して、前記最大パワー値をスペクトル的に補間するための命令を更に有する、請求項16に記載のOSNRモニタ。
【請求項１８】
前記別の波長は、前記第1公称波長付近の複数の波長を含み、前記命令は：
前記第1光パワー値及び前記別の光パワー値のうちの最大値により、前記最大パワー値を選択するための命令；
を更に有する請求項16に記載のOSNRモニタ。
【請求項１９】
前記所与の波長間隔は、0.5GHz，1GHz及び2GHzのうちの対応する周波数間隔から選択される、請求項16に記載のOSNRモニタ。
【請求項２０】
前記別の波長で前記パスバンドと共に前記チューナブルフィルタモジュールをプログラミングするための命令、及び、前記別の光パワー値を測定するための命令が：
前記最大パワー値が判定されるまで、前記第1公称波長から所与の波長間隔のステップで前記第1光チャネルをスキャンするための命令；
を更に有する請求項15に記載のOSNRモニタ。
【請求項２１】
前記所与の波長間隔のステップで前記第1光チャネルをスキャンするための命令が、正のインターバル及び負のインターバルを利用するための命令を含む、請求項20に記載のOSNRモニタ。
【発明の詳細な説明】
【技術分野】
【０００１】
本開示は一般に光通信ネットワークに関連し、特に、光フィルタにおけるスペクトルオフセットを軽減するための方法及びシステムに関連する。
【背景技術】
【０００２】
テレコミュニケーション、ケーブルテレビジョン及びデータ通信システムは、遠隔した地点間で大量の情報を高速に搬送するために光ネットワークを利用する。光ネットワークでは、情報は光ファイバを介する光信号の形式で搬送される。光ファイバは、長距離にわたって信号を伝達することが可能な細いガラス繊維を有する。光ネットワークは、光ファイバにより光信号で情報を搬送するために、しばしば変調方式を利用する。そのような変調方式は、位相シフトキーイング(PSK)、周波数シフトキーイング(FSK)、振幅シフトキーイング(ASK)及び直交振幅変調(QAM)を含んでよい。
【０００３】
PSKでは、光信号により運ばれる情報は、搬送波としても知られる参照信号の位相を変調することにより搬送される。情報は、差分位相シフトキーイング(differential  phase-shift  keying：DPSK)を用いて信号自体の位相を変調することによって、搬送されてもよい。QAMにおいては、光信号により運ばれる情報は、搬送波の振幅及び位相の双方を変調することによって、搬送される。PSKは、搬送波の振幅が一定に維持されるというQAMの部分集合と考えられてもよい。
【０００４】
PSK及びQAM信号は、コンステレーション図における実軸及び虚軸を有する複素平面を用いて表現されてもよい。情報を搬送するシンボルを表現するコンステレーション図上の(複数の)点は、図の原点の周りに均一な間隔を隔てて配置されてもよい。PSK及びQAMを利用して変調されるシンボルの数は増やされてもよく、すなわち、搬送可能な情報を増やしてもよい。信号の数は2の倍数で与えられてもよい。追加的なシンボルが追加される場合、それらは原点の周りに一様な形式で配置されてもよい。PSK信号は、コンステレーション図上の円においてそのような配置を含み、これはPSK信号が全てのシンボルについて一定の電力を有することを意味する。QAM信号は、PSK信号と同じ角度配置を有してもよいが、異なる振幅の配置を含んでよい。QAM信号は、複数の円の周りに配置されるシンボルを有してもよく、QAM信号は異なるシンボルに対して異なる電力を有してよいことを意味する。この配置は、シンボルが可能な限り大きな距離で隔てられるので、ノイズのリスクを減らすかもしれない。シンボルの数「m」は、「m-PSK」又は「m-QAM」のように使用され表記されてもよい。
【０００５】
異なるシンボル数を有するPSK及びQAMの具体例は、コンステレーション図上で0°及び180°(すなわち、0及びπ)の2つの位相を利用するバイナリPSK(BPSK又は2-PSK)；あるいは、0°，90°，180°及び270°(すなわち、0，π/2，π及び3π/2)の4つの位相を利用する直交PSK(QPSK，4-PSK又は4-QAM)を含むことが可能である。そのような信号の位相はオフセットされてもよい。2-PSK及び4-PSK信号の各々が、コンステレーション図に配置されてもよい。
【０００６】
M-PSK信号は、二重偏波QPSK(dual-polarization  QPSK：DP-QPSK)のような技術を利用して更に極性化(又は分離)されてもよく、個々のm-PSK信号は、信号を直交分離することにより多重される。M-QAM信号は、二重偏波16QAM(DP-16-QAM)のような技術を用いて分離されてもよく、個々のm-QAM信号は、信号を直交分離することにより多重される。
【０００７】
光ネットワークは、増幅器、分散補償器、マルチプレクサ/デマルチプレクサフィルタ、波長選択スイッチ、光スイッチ、カプラ等のような様々な光要素を含み、ネットワーク内の様々な処理を実行する。特に、光ネットワークは、光信号の到達距離が単独の光パスでは制限される場合に、再設定可能な光分岐挿入マルチプレクサ(ROADM)においてコストのかかる光-電気-光(O-E-O)再生成を含むかもしれない。
【０００８】
光ネットワークに対するデータレートが増加し続け、1テラビット/秒(1T)に及ぶほどになると、例えば、二重偏波によるQAM及びPSKのような改善された変調フォーマットを利用することに起因して、光信号対雑音比(optical  signal-to-noise  ratios：OSNR)に対する要求も増加する。OSNRモニタは光チャネルに対するインバンドOSNR(インバンドはバンド内又は帯域内と表現されてもよい)を測定しないので、光信号の実際の品質は、正確には判定されない。OSNRモニタリングに使用される光フィルタは、フィルタリングされる光チャネルに関して周波数(又は波長)オフセットを示すおそれがある。
【発明の概要】
【０００９】
一形態に関し、光フィルタにおけるスペクトルオフセットを軽減するための開示される方法は、第1公称波長及び第1公称波長における信号帯域幅を有する第1光チャネルを含む第1光信号を、光フィルタにおいて受信することを含む。本方法は、フィルタリングされた光信号を生成するために、第1公称波長で或るパスバンドと共に光フィルタをプログラミングすることを含んでよい。本方法は、フィルタリングされた光信号の第1光パワー値を測定することを更に含んでよい。本方法は、信号帯域幅の内の別の波長でパスバンドと共に光フィルタをプログラミングすることを更に含んでよい。本方法は、別の波長の各々に対する別の光パワー値をそれぞれ測定することを含んでよい。本方法は、第1光パワー値及び別の光パワー値に基づいて、最大の光パワー値と第1光信号の有効波長(effective  wavelength)とを判定することを含んでもよい。第1光チャネルは有効波長において最大パワー値を有してよい。
【００１０】
光フィルタにおけるスペクトルオフセットを軽減するための追加的に開示される形態は、本願で説明されるように、スキャニング光フィルタ、OSNRモニタ、OSNRモニタを含む光分岐挿入マルチプレクサ(OADM)、及び、光通信システムを含む。
【図面の簡単な説明】
【００１１】
本発明並びにその特徴及び利点についての更に完全な理解を促すために、添付図面に関連する以下の詳細な説明が参照される。
【００１２】
【図１】一形態の光ネットワークのうちの選択された要素についてのブロック図である。
【００１３】
【図２】インバンドOSNRモニタリングを行う一形態の光分岐挿入マルチプレクサのうちの選択された要素についてのブロック図である。
【００１４】
【図３】光フィルタにおけるスペクトルオフセットを軽減する様子を示す一形態の光スペクトルのうちの選択された要素についての図である。
【００１５】
【図４】スペクトルオフセットを軽減するための一形態の光フィルタのうちの選択された要素についての図である。
【００１６】
【図５】光フィルタにおける一形態のスペクトルオフセット軽減方法のうちの選択された要素についてのフローチャートである。
【００１７】
【図６】光ネットワークに関する一形態の制御システムのうちの選択された要素についてのブロック図である。
【発明を実施するための形態】
【００１８】
以下の説明では、開示される対象事項についての議論を促すために、詳細な事項が具体例により説明される。しかしながら、開示される形態は例示的であり、全ての可能な形態を網羅してはいないことが、当業者には明らかであろう。
【００１９】
本開示を通じて、参照番号にハイフンが付いた形式は或る要素の具体的な例を示し、参照番号が付いてない形式は一般的又は集合的に要素を示す。従って、(図面には示されていない)具体例として、デバイス「12-1」は、デバイス「12」のように集合的に言及されるデバイスというクラス(又は分類)のうちの一例を示し、そのクラスのうちの任意の何れもが一般的にデバイス「12」として言及されてよい。図面及び明細書において、同様な数字は同様な要素を表現するように意図される。
【００２０】
図面に関し、図1は、光通信システムを表現する光ネットワーク101の実施例を示す。光ネットワーク101は、光ネットワーク101のコンポーネントにより通信される1つ以上の光信号を転送する1つ以上の光ファイバ106を含んでよい。ファイバ106により共に結合される光ネットワーク101のネットワーク要素は、1つ以上の送信部102、1つ以上のマルチプレクサ(MUX)104、1つ以上の増幅器108、1つ以上の光分岐挿入マルチプレクサ(OADM)110、1つ以上のデマルチプレクサ(DEMUX)110、及び、1つ以上の受信部112を含んでよい。
【００２１】
光ネットワーク101は、端末ノードとの1対1光ネットワーク、リング光ネットワーク、メッシュ光ネットワーク、その他の適切な任意の光ネットワーク、あるいは、光ネットワークの組み合わせを含んでもよい。光ネットワーク101は、短距離メトロポリタンネットワーク、長距離都市間ネットワーク、その他の適切な任意のネットワーク、又は、ネットワークの組み合わせにおいて使用されてもよい。光ネットワーク101の容量は、例えば、100Gbit/s、400Gbit/s又は1Tbit/sを含んでもよい。光ファイバ106は、非常に低い損失で長距離にわたって信号を通信することが可能な細いガラス繊維を有する。光ファイバ106は、光伝送のための様々なファイバの中から選択される適切なタイプのファイバを含んでよい。光ファイバ106は、標準的なシングルモードファイバ(Single-Mode  Fiber：SMF)、エンハンストラージ実効面積ファイバ(Enhanced  Large  Effective  Area  Fiber：E-LEAF)、TW-RS(TrueWave  Reduced  Slope)ファイバ等のような適切な任意のタイプのファイバを含んでもよい。
【００２２】
光ネットワーク101は、光ファイバ106により光信号を伝達するデバイスを含んでもよい。情報は、情報を波長にエンコードするための光の1つ以上の波長による変調により、光ネットワーク101を介して送信及び受信されてもよい。光ネットワーキングでは、光の波長は、光信号に含まれるチャネルとして言及されてもよい。各チャネルは、光ネットワーク101を介して所定量の情報を搬送する。
【００２３】
光ネットワーク101の情報容量及び転送容量を増やすために、複数のチャネルで送信される複数の信号は、1つの広い帯域幅の信号に結合されてもよい。複数のチャネルで情報を通信するプロセスは、光学上、波長分割多重(WDM)のように言及される。低密度波長分割多重(Coarse  wavelength  division  multiplexing：CWDM)は、通常的には20nmより広く16波長未満のような少ないチャネル数しか含まない広く間隔を隔てる波長多重を示し、高密度波長分割多重(dense  wavelength  division  multiplexing：DWDM)は、通常的には0.8nmより狭く40波長より多い多数のチャネルをファイバ中に有する密に近接した波長多重を示す。光ファイバ当たりの合計帯域幅を増やすために、WDM又はその他のマルチ波長多重伝送技術が使用されてもよい。WDMを使用しない場合、光ネットワークの帯域幅は、1波長のみのビットレートに制限される。より広い帯域幅により、光ネットワークは、より多くの情報を伝送することが可能になる。光ネットワーク101は、WDM又はその他の適切な何らかのマルチチャネル多重技術を利用して、異種のチャネルを送信し、マルチチャネル信号を増幅してもよい。
【００２４】
光ネットワーク101は、特定の波長又はチャネルで光ネットワーク101を介して光信号を送信する1つ以上の光送信部(Tx)102を含んでもよい。送信部102は、電気信号を光信号に変換し、光信号を送信するシステム、装置又はデバイスを含んでもよい。例えば、送信部102の各々はレーザ及び変調部を有し、レーザ及び変調部は、電気信号を受信し、電気信号に含まれる情報を、特定の波長でレーザにより生成される光ビーム上に変調し、光ネットワーク101を介して信号を搬送するためにビームを送信する。
【００２５】
マルチプレクサ104は、送信部102に結合され、送信部102により送信される信号を、例えば個々の波長でWDM信号に結合するシステム、装置又はデバイスであってもよい。
【００２６】
光増幅器108は、光ネットワーク101の中でマルチチャネル化された信号を増幅してもよい。光増幅器108は、所定長のファイバ106の前及び/又は後に配置されてよい。光増幅器108は、光信号を増幅するシステム、装置又はデバイスを含んでもよい。例えば、光増幅器108は、光信号を増幅する光リピータを含んでもよい。この増幅は、光から電気への又は電気から光への変換と共に実行されてもよい。一形態において、光増幅器108は、ドープされたファイバ増幅要素を形成するために、希土類元素がドープされた光ファイバを含んでもよい。信号がファイバを通過する場合に、ポンプ信号の形式で、外部エネルギが印加され、光ファイバのドープされた部分の原子を励起し、光信号の強度を増やしてもよい。具体例として、光増幅器108は、エルビウムドープファイバ増幅器(erbium-doped  fiber  amplifier：EDFA)を含んでもよい。
【００２７】
OADM110はファイバ106を介して光ネットワーク101に結合されてもよい。OADM110は分岐挿入モジュール(アドドロップモジュール)を含み、分岐挿入モジュールは、ファイバ106に光信号を(個々の波長で)追加する及び/又はファイバ106から光信号を(個々の波長で)取り出すシステム、装置又はデバイスを含む。OADM110を経て通過した後、光信号はファイバ106に沿って目的地まで直接的に進行してもよいし、あるいは、信号は、目的地に到達する前に、1つ以上の追加的なOADM110及び/又は光増幅器108を経て伝達されてもよい。
【００２８】
光ネットワーク101の所定の形態では、OADM110は、WDM信号の個々の又は複数の波長を追加又は除去することが可能な再設定可能なODADM(ROADM)を表現してもよい。個々の又は複数の波長は、例えば、ROADMに含まれてよい波長選択スイッチ(WSS)(図示せず)を利用して、光ドメインで追加又は除去されてもよい。
【００２９】
図1に示されるように、光ネットワーク101は、ネットワーク101の1つ以上の目的地において1つ以上のデマルチプレクサ105を含んでもよい。デマルチプレクサ105は、単独の複合的なWDM信号を、個々の波長で個々のチャネルに分割することにより、デマルチプレクサとして機能するシステム、装置又はデバイスを含んでよい。例えば、光ネットワーク101は、40チャネルのDWDM信号を送信及び搬送してもよい。デマルチプレクサ105は、単独の40チャネルDWDM信号を、40個の異なるチャネルに応じて40個の別々の信号に分割してもよい。
【００３０】
図1では、光ネットワーク101はデマルチプレクサ105に結合される受信部112を含んでもよい。各々の受信部112は、特定の波長又はチャネルで送信された光信号を受信し、光信号が包含する情報(データ)を取得(復調)するように光信号を処理してもよい。従って、ネットワーク101は、ネットワークの全てのチャネルについて少なくとも1つの受信部112を含んでよい。
【００３１】
図1の光ネットワーク101のような光ネットワークは、光ファイバを介して光信号で情報を搬送するために変調技術を利用してもよい。そのような変調方式は、位相シフトキーイング(PSK)、周波数シフトキーイング(FSK)、振幅シフトキーイング(ASK)及び直交振幅変調(QAM)のような変調方式を特に包含してよい。PSKでは、光信号により運ばれる情報は、搬送波又は単にキャリアとしても知られる参照信号の位相を変調することにより搬送される。2レベル即ちバイナリ位相シフトキーイング(BPSK)、4レベル即ち直交位相シフトキーイング(QPSK)、マルチレベル位相シフトキーイング(M-PSK)及び差分位相シフトキーイング(DPSK)を利用して、信号自体の位相を変調することにより、情報が搬送されてもよい。QAMにおいては、光信号により運ばれる情報は、搬送波の振幅及び位相の双方を変調することによって、搬送されてよい。PSKは、搬送波の振幅が一定に維持されるというQAMの部分集合と考えられてもよい。
【００３２】
更に、偏波分割多重化(polarization  division  multiplexing：PDM)技術は、情報伝送の高ビットレート化を達成できるようにする。PDM伝送は、チャネルに関連する光信号のうちの異なる偏波成分に、情報を変調することを含む。光信号の分離は、光信号の振幅方向に関連してもよい。「偏波又は分離(polarization)」という用語は、概して、空間中の或る地点において電場ベクトルの先端が辿る経路に関連し、その経路は光信号の伝搬方向に垂直である。
【００３３】
所定の形態において、光ネットワーク101はスーパーチャネルを送信し、スーパーチャネル内には、複数のサブキャリア信号(又はサブチャネル又はチャネル)が、一定の帯域幅の中に高密度に収容され、例えば400Gb/s、1Tb/s又はそれ以上のような非常に高いデータレートで送信される。更に、スーパーチャネルは、例えば数百キロメートルのような非常に長距離にわたる伝送にかなり適している。典型的なスーパーチャネルは、1つの実体(entity)として光ネットワーク101を介して伝達される単独チャネルを形成するように波長多重される一群のサブキャリアを含んでもよい。スーパーチャネル内のサブキャリアは、高いスペクトル効率を達成するように緻密に収容される。
【００３４】
図1の光ネットワーク101のような光ネットワークでは、管理プレーン、制御プレーン及びトランスポートプレーン(しばしば、物理レイヤと呼ばれる)に言及することが一般的である。セントラル管理ホスト(図示せず)は、管理プレーンにあり、制御プレーンのコンポーネントを設定及び監視する。管理プレーンは、トランスポートプレーン及び制御プレーンのエンティティ(例えば、ネットワーク要素)全てについての最終的な制御を含む。例えば、管理プレーンは中央処理センター(例えば、中央管理ホスト)により構成され、1つ以上の処理リソース、データストレージコンポーネント等を含む。管理プレーンは、制御プレーンの要素と電気通信を行ってもよく、トランスポートプレーンの1つ以上のネットワーク要素とも電気通信を行ってよい。管理プレーンは、システム全体に対する管理機能を実行し、ネットワーク要素と制御プレーンとトランスポートプレーンとの間で協調(coordination)を促してもよい。例えば、管理プレーンは、要素の観点から1つ以上のネットワーク要素を処理(又は運営又は担当)する要素管理システム(EMS)、ネットワークの観点から多くのデバイスを処理するネットワーク管理システム(NMS)、及び/又は、ネットワークに広範囲に及ぶ動作を処理するオペレーションサポートシステム(OSS)を含んでもよい。
【００３５】
本開示の範囲から逸脱することなく、光ネットワーク101に対して修正、追加又は削除がなされてよい。例えば、光ネットワーク101は図1に示されるものより多い又は少ない要素を含んでもよい。また、上述したように、1対1ネットワークとして示されているが、光ネットワーク101は、リング、メッシュ及び/又は階層ネットワークトポロジ等のような、光信号を送信する適切な任意のネットワークトポロジを含んでもよい。
【００３６】
上述したように、光ネットワークで送信される情報量は、情報とともに符号化され及び1つの信号に多重される光チャネルの数に応じて変化し得る。従って、WDM信号を利用する光ファイバは、単独チャネルで情報を搬送する光チャネルよりも多くの情報を搬送し得る。チャネル数及び搬送される偏波成分数と並んで、どの程度多くの情報が光ネットワークで伝送されることが可能であるかに影響する他の要因は、伝送のビットレートである。より高いビットレートであるほど、より大きな情報伝送容量となる。より高いビットレートを達成することは、広い帯域幅の電気ドライバ技術の利用可能性、ディジタル信号処理技術、及び、光ネットワーク101における伝送に対する所要OSNRの増加などによって制限されるかもしれない。
【００３７】
光ネットワーク101の動作において、データレートが1Tに近付くと、過剰な数のO-E-O再生成部を回避することにより、経済的な実現可能性を維持するために、それに応じた高いOSNRが望まれるようになる。従って、光ネットワーク101により送信される所与の光チャネルに関し、バンド内OSNRを正確に瞬時に測定することが望ましい。インバンドOSNRのそのような測定は、光ネットワーク101並びに関連するシステム及びデバイスのノード対ノードの及び1対1の伝送パフォーマンスのリアルタイムモニタリングを可能にするかもしれない。OSNRモニタリングは、光チャネルの到達可能性を判定できるようにするだけでなく、光ネットワーク101における何らかの不具合地点を検出することも可能にする。一形態では、OSNRモニタリングは、OADMノードとともに光ネットワーク101内に含められる。国際電気通信標準化部門(ITU-T)により公布されるような工業規格は、監視されるOSNRの誤差が、広範囲に及ぶOSNRに関して、±1dBに収まる精度であるべきことを示唆している。典型的なOSNRモニタは、OSNR測定のために所与の光チャネルを識別する光チャネルを包含する。スペクトルオフセットが生じると、OSNR測定は不正確になってしまい、その理由は、光チャネルの公称波長(nominal  wavelength)が光チャネルの実際の波長に合致しなくなるからである。光フィルタが、光チャネルと同じスペクトルリファレンス及び精度で較正されていない場合、スペクトルオフセットが生じるかもしれない。
【００３８】
更に詳細に説明されるように、光フィルタリングの際のスペクトルオフセットを削減又は除外するスキャニング光フィルタ(scanning  optical  filter)を実現するための方法及びシステムが本願で開示される。本願で開示されるスキャニング光フィルタは、様々なチャネル及びフォーマットに対する柔軟な動作のために、所望の周波数(又は波長)に同調することが可能である(チューナブルである)。本願で開示されるスキャニング光フィルタは、様々な入力光信号に適応し、入力光信号中のスペクトルオフセットに影響されない。本願で開示されるスキャニング光フィルタは、スペクトルオフセットに対するコスト効果的な軽減技術を提供する。本願で開示されるスキャニング光フィルタは、ピーク信号パワーを正確に測定し及びピーク信号パワーの波長を判定する正確なインバンドOSNRモニタリングを可能にする。本願で開示されるスキャニング光フィルタは、真のノイズ情報を表現するインバンドノイズを測定する正確なインバンドOSNRモニタリングを可能にし、真のノイズ情報は、例えば各チャネルに個別的に影響する分岐/挿入イベントに起因して、各々の光チャネルについて異なるかもしれない。
【００３９】
図2に関し、インバンドOSNRモニタリングを行うOADM200の実施例のうちの選択された要素が示されている。図示されるように、OADM200はOADMノード202を含み、OADMノード202は一形態のOADM110(図1)のうちの選択された要素を表現する。OADM200は、光ネットワーク101において光信号を付加又は除外する。
【００４０】
OADM200において、OADMノード202は、入力チャネル(すなわち、光信号)210を受信し、出力信号214を送信する。入力チャネル210及び出力チャネル214は、WDM信号の形式であってもよい。所定の形態では、入力チャネル210はスーパーチャネルを表現してもよい。図示されるように、入力チャネル210は、210-1，210-2等から210-Nに至るように示されるN個のチャネルを含む。OADMノード202により出力される出力チャネル214は、214-1，214-2等から214-Mに至るように示されるM個のチャネルを含んでよい。N及びMは、OADMノード202により実行される付加/除外イベントに応じて異なってもよいこと、及び、1以上の任意の値を有してよいことに留意を要する。入力チャネル210は図示の例では複数の形式で使用されるが、N=1の場合、入力チャネル210は単独チャネルを構成してもよい。出力チャネル214は図示の例では複数の形式で使用されるが、M=1の場合、出力チャネル214は単独チャネルを構成してもよい。
【００４１】
図示されるように、OADMノード202は、それぞれインバンドOSNRモニタ204に関連付けられるタップ208を含む。タップ208は光信号パワーの一部分を方向転換させ、その一部分は、インバンドOSNRモニタ204に対する光信号を表現し、例えば光信号パワーのうちの1-10％であり、パワータップ信号216により示される。インバンドOSNRモニタ204は、パワータップ信号216を受信し、インバンドOSNR値をOADMコントローラ206に出力する。図示されるように、タップ208-1は入力チャネル210からパワータップ信号216-1をインバンドOSNRモニタ204-1に提供する一方、タップ208-2は出力チャネル214からパワータップ信号216-2をインバンドOSNRモニタ204-2に提供する。OADMコントローラ206は更にスイッチングデバイス212に結合され、スイッチングデバイス212は、例えば他の光ネットワークセグメントからの(又はそこへの)チャネルを分岐又は挿入するようにチャネル切り替えを実行する。このように、ＯＡＤＭノード202は、入力チャネル210及び出力チャネル214のインバンドOSNRを監視しながら、様々な光ネットワーク及びネットワークトポロジに対する接続を提供する。
【００４２】
動作の際に、インバンドOSNRモニタ204は、特定の光チャネルのインバンド光信号をディジタル的にサンプリングし、パワー波形データを生成する。インバンドOSNRモニタ204に含まれる光フィルタ(図4参照)は、光信号に対応する所望のパスバンド(通過帯域)を通過するようにプログラムされてもよい。パワー波形データは、光信号に対応するパスバンドでサンプリングされる。そして、パワー波形データは、ローパスフィルタパワー(ローパスフィルタリングされたパワー)PLPF及びバンドパスフィルタパワー(バンドパスフィルタリングされたパワー)PBPFを取得するように、インバンドOSNRモニタ204により処理される。信号パワーPsigは、PLPFにより、次の数式1のように表現されてもよい：
【数１】
0006597404.tif 000002
数式1において、C1はローパスフィルタに関連する較正定数であり、B0は光帯域幅であり、Rresは通常的には12.5GHzに設定される測定分解能であり、及び、OSNRはインバンドOSNRである。更に、PBPFは、信号パワーPsigにより、次の数式2のように表現されてもよい。
【数２】
0006597404.tif 000003
数式2において、C2，C3，α1，α2及びΩは、そのタイプの到来信号及びバンドパスフィルタに関連する較正定数であり、BFはバンドパスフィルタの帯域幅であり、RPDは光パワーをサンプリングするために使用されるフォトディテクタの光-電気応答であり、残りの項については数式1と同じである。数式1及び2において、較正定数は事前に決められており、ローパスフィルタパワーPLPF及びバンドパスフィルタパワーPBPFが上述したように測定されると、OSNRのみが未知数として残る。従って、数式1を数式2に代入することにより、OSNRが算出されてもよい。
【００４３】
更に、OSNRモニタ204で使用される光フィルタは、スペクトルオフセットを軽減することが可能なスキャニング光フィルタであってよい。例えば、入力光チャネル210の公称波長は、物理波長(physical  wavelength)に正確には対応してないかもしれない。同様に、光フィルタは波長に関して正確に較正されてないかもしれない。これらの理由から、スペクトルオフセットが、通過帯域(パスバンド)の光フィルタリングの最中に生じ、ある形態ではOSNR測定の精度に影響を及ぼしてしまうかもしれない。光フィルタリングの他の用途でも、スペクトルオフセットは望まれず、光ネットワークの動作に不都合に作用してしまう。
【００４４】
詳細に説明されるように、光フィルタにおけるスペクトルオフセットは、本願で詳細に説明されるようなスキャニング光フィルタにより軽減される。スキャニング光フィルタは、本願で説明される様々な方法及び処理を利用して、パスバンド内の様々な波長で光チャネルの光パワー値を測定し、最大の光パワー値だけでなく、最大の光パワー値に対応する光チャネルの有効波長も取得する。
【００４５】
図3には、実施例の光スペクトル300のうち選択された要素が示されている。図示されるように、光スペクトル300は、公称波長λ1，λ2，λ3におけるWDM光信号のうちの3つの光チャネル302に対するパワーと波長との関係を示す。光スペクトル300に示される光チャネル302は、ナイキスト又は非ナイキスト光チャネルを表現してよい。波長とともに変化する光ノイズレベル308も示されている。
【００４６】
光スペクトル300において、公称波長λ1における第1光チャネル302-1に関し、スペクトルオフセットが描かれている。第1光チャネル302-1では、パスバンド304は、例えば図4のスキャニング光フィルタ400のような光フィルタのパスバンドを表現してもよい。パスバンド304は公称波長λ1でプログラムされている。しかしながら、上述した様々な理由に起因して、パスバンド304はΔλ1という量のスペクトルオフセット306によりシフトされ、パスバンド304は実際にはλ1+Δλ1という波長を中心としている。その結果、スペクトルオフセット306は、第1光チャネル302-1に関する最大の光パワー値についての不正確な測定を招くかもしれない。
【００４７】
光スペクトル300における本願で説明されるようなスキャニング光フィルタの動作例が、公称波長λ2の第2光チャネル302-2に関して説明される。第2光チャネル302-2では、第1パスバンド310-1は、公称波長λ2でプログラムされる場合のスキャニング光フィルタのパスバンドに対応する。第1光パワー値は、第1パスバンド310-1で測定される。スキャニング光フィルタは、公称波長λ2に対する波長間隔を追加(又は減算)し、パスバンド310-2を設定するようにプログラムされる。波長間隔は、特に、0.5GHz、1GHz及び2GHz等の対応する周波数間隔から選択されてよい。そして、第2光チャネル302-2に対する第2光パワー値が、パスバンド310-2で測定される。追加的な光パワー値が、追加的なパスバンド310-3、310-4及び310-5で測定される。パスバンド310は波長に関して互いに等間隔にあってもよい。測定されたパスバンド310から、パスバンド310の最大の光パワー値及び対応する波長が判定されてよい。
【００４８】
最大の光パワーは、パスバンド310をスキャンする場合に、様々な方法で判定されてもよい。一形態では、互いに対して所定の波長間隔で一定数のパスバンド310が自動的にスキャンされ、その後に、測定された光パワー値の中から最大の光パワー値が取得されてもよい。スキャンされるパスバンド310は、第1パスバンド310-1を中心としてもよい。別の形態では、反復的な方法が使用されてもよい。反復的な方法では、第1波長間隔のステップ(歩幅又は刻み幅)が第1パスバンド310-1に適用され、第2パスバンド310-2を選択してもよい。第1パスバンド310-1及び第2パスバンド310-2に対する光パワー値が比較される。第2パスバンド310-2が、より小さな光パワー値をもたらす場合、以後、反対方向の波長間隔ステップが第1パスバンド310-1から第3パスバンド310-3へ進む場合に使用される。そして、第1パスバンド310-1及び第3パスバンド310-3に対する光パワー値が比較される。第3パスバンドが、第1パスバンドよりも高い光パワーをもたらす場合、パスバンド310-5をもたらす更なるスキャンが行われる。このようにして、光チャネル302-2は、最大の光パワー値を特定するために、適応的な方法で反復的にスキャンされてもよい。
【００４９】
光スペクトル300におけるスペクトルオフセットの別の軽減方法、すなわちスペクトル補間を用いる方法が、光チャネル302-3に関連して説明される。第1パスバンド312-1は公称波長λ3を用いてスキャニング光フィルタで設定され、第1光パワー値314-1が測定されている。そして、2つの追加的なパスバンド312-2及び312-3が設定され、第2光パワー値314-2及び第3光パワー値314-3が測定される。パスバンド312は、例えば所定の公称部分(certain  minimum  portion)のような光チャネル302-3の信号帯域幅のうちの所定の部分をカバーするように選択されてよい。光パワー値314を利用して、最大の光パワー値316は、例えばピーク検出アルゴリズムのようなスペクトル補間技術により判定されてもよい。最大の光パワー値316が判明すると、波長λ3に対応する光フィルタのための実際の波長設定も決定される。
【００５０】
図4には、スペクトルオフセットを軽減する本願で説明される一形態のスキャニング光フィルタのうちの選択された要素のブロック図が示されている。スキャニング光フィルタ400は、概略的な表現であり、寸法を描いてはいない。様々な形態において、スキャニング光フィルタ400は、図4に示されるものに対して追加的な又はより少数の要素とともに実現されてよいことに、留意を要する。図示されるように、スキャニング光フィルタ400は、チューナブルフィルタモジュール404、光スイッチ408、フォトディテクタ410、及び、コントローラ412を含み、コントローラ412はプロセッサ及び記憶媒体416を有する。
【００５１】
図4に示されるように、コントローラ412はプロセッサ414及び記憶媒体416を含み、記憶媒体416は、記憶媒体416にアクセスするプロセッサ414により実行可能な命令(すなわち、実行可能なコード)を保存する。プロセッサ414は、本願で説明される機能及び動作をコントローラ412に実行させる命令を実行する。本開示の説明の便宜上、記憶媒体416は、少なくとも或る時間期間の間データ及び命令を保存する非一時的なコンピュータ読み取り可能な媒体を含んでもよい。メモリ416は、永続的な媒体(又は不揮発性媒体)、揮発性媒体、固定媒体、着脱可能な媒体、磁気的な媒体、及び、半導体媒体などを含んでもよい。記憶媒体416は限定ではないがストレージ媒体を含んでもよく、ストレージ媒体は、例えば、ダイレクトアクセスストレージデバイス(例えば、ハードディスクドライブ又はフロッピディスク)、シーケンシャルアクセスストレージデバイス(例えば、テープディスクドライブ)、コンパクトディスク(CD)、ランダムアクセスメモリ(RAM)、リードオンリメモリ(ROM)、CD-ROM、ディジタル多用途ディスク(DVD)、電気的に消去可能でプログラム可能なリードオンリメモリ(EEPROM)、フラッシュメモリ；非一時的な媒体、又は、それらの様々な組み合わせであってもよい。記憶媒体416は命令、データ又はそれら双方を保存するように動作することが可能である。
【００５２】
スキャニング光フィルタ400の動作において、チューナブルフィルタモジュール404は、WDM入力402に加えて、波長や帯域幅などのようなパスバンドを指定するフィルタパラメータを受けることが可能なプログラム可能な光フィルタであってもよい。WDM入力402は図2のパワータップ信号216に対応する。チューナブルフィルタモジュール404は、光学的にフィルタリングされた信号を表現するパスバンド406を生成するために、WDM入力402(又は他のマルチスペクトル入力)を光学的に識別(判別又は区別)する。パスバンド406は、図3に示されるパスバンド304，310，312のうちの任意の何れか或いは望まれる他のパスバンドに対応してよい。コントローラ412は、出力信号をチューナブルフィルタモジュール404に出力し、所望のパスバンド406をもたらすようにチューナブルフィルタモジュール404をプログラムする。パスバンド406は、コントローラ412により操作される光スイッチ408を利用して、フィルタ出力418又はフォトディテクタに選択的に切り替えられる。様々な形態において、他のタイプの光学的な方向転換要素が、光スイッチ408の代わりに使用されてよいことに留意を要する。フォトディテクタ(光検出部)410は、コントローラ412により取得されるパスバンド406の光パワー値を測定する。フォトディテクタ410において測定された光パワー値に応答して、コントローラ412は、本願で説明されるように、スキャニングの判断を行い、スペクトルオフセットを軽減するための様々な方法を実現する。スペクトルオフセットを軽減するためのスキャニングのプロセスは、比較的短期間の間継続する。最大の光パワー値が発見された後、光スイッチ418はフィルタ出力418に切り替わり、パスバンド406に属する実質的に全ての光パワーが、例えばOSNRを正確に測定するために、スキャニング光フィルタ400から伝達される。コントローラ412は、例えば、OADMコントローラ206、図6の制御システム600、又は、その他の手段と外的に通信し、スキャニング及び光フィルタリングに関する情報を統合又は送受信してもよいことに、留意を要する。
【００５３】
図5には、光フィルタにおけるスペクトルオフセットを軽減する本願で説明される一形態の方法のうちの選択された要素のブロックが、フローチャート形式で示される。方法500はスキャニング光フィルタ400を用いて実行されてもよい。方法500のうち少なくとも所定の部分は、命令を保存する記憶媒体にアクセスするプロセッサにより実行され、命令は、例えばコントローラ412内のプロセッサのようなプロセッサにより実行可能である。方法500で説明される所定の動作は、異なる実施形態では、選択的であってもよく、或いは、並べ替えられてもよいことに留意を要する。
【００５４】
方法500は、光フィルタにおいて第1光信号を受信することから始まり(動作502)、第1光信号は、第1公称波長と第1公称波長における信号帯域幅とを有する第1光チャネルを含む。光フィルタは、フィルタリングされた光信号を生成するために、第1公称波長において、或るパスバンドと共にプログラミングされる(動作504)。フィルタリングされた光信号の第1光パワー値は測定される(動作506)。光フィルタは、信号帯域幅の内の別の波長において、前記パスバンドと共にプログラミングされる(動作508)。別の(又は追加的な)波長は、事前に選択されていてもよいし、或いは、例えば測定された光パワー値に応じて反復的に選択されてもよい。別の光パワー値は、別の(複数の)波長の各々についてそれぞれ測定される(動作510)。第1光パワー値及び別の光パワー値に基づいて、最大の光パワー値と第1光信号の有効波長とが判定され(動作512)、この場合において、第1光チャネルは有効波長において最大パワー値を有する。
【００５５】
図6には、例えば光ネットワーク101(図1参照)のような光ネットワークにおける制御プレーン機能を実現する一形態の制御システム600のうちの選択された要素のブロック図が示されている。制御プレーンは、ネットワークインテリジェンス及びコントロールのための機能を含み、及び、ネットワークサービスを設定するための能力をサポートするアプリケーション等を有し、アプリケーション等は、ディスカバリ(発見)、ルーティング、パス(経路)算出及びシグナリングのためのアプリケーションやモジュールを含み、これらは以下にいて詳細に説明される。制御システム600により実行される(複数の)制御プレーンアプリケーションは、光ネットワーク内でサービスを自動的に設定するために一緒に動作してもよい。ディスカバリモジュール612は近隣につながるローカルリンクを発見する。ルーティングモジュール610は、光ネットワークにローカルリンク情報をブロードキャストし、ローカルリンク情報はデータベース604に入る(所在する)。光ネットワークからのサービスを求めるリクエストが受信されると、経路算出エンジン602は、データベース604を用いてネットワーク経路を算出するために呼び出される。このネットワーク経路は、以後、要求されたサービスを設定するためにシグナリングモジュール706に提供される。
【００５６】
図6に示されるように、制御システム600は、実行可能な命令(すなわち、実行可能コード)を保存してよい記憶媒体620及びプロセッサ608を含み、実行可能な命令は、記憶媒体620に対するアクセス権を有するプロセッサ608により実行される。プロセッサ608は、本願で説明される機能及び動作の実行を制御システム600にさせる命令を実行してよい。本開示の便宜上、記憶媒体620は、少なくとも或る時間期間の間、データ及び命令を保存する非一時的なコンピュータ読み取り可能な媒体を含んでもよい。記憶媒体は、永続的な媒体(又は不揮発性媒体)、揮発性媒体、固定媒体、着脱可能な媒体、磁気的な媒体、及び、半導体媒体などを含んでもよい。記憶媒体620は限定ではないがストレージ媒体を含んでもよく、ストレージ媒体は、例えば、ダイレクトアクセスストレージデバイス(例えば、ハードディスクドライブ又はフロッピディスク)、シーケンシャルアクセスストレージデバイス(例えば、テープディスクドライブ)、コンパクトディスク(CD)、ランダムアクセスメモリ(RAM)、リードオンリメモリ(ROM)、CD-ROM、ディジタル多用途ディスク(DVD)、電気的に消去可能でプログラム可能なリードオンリメモリ(EEPROM)、フラッシュメモリ；非一時的な媒体、又は、それらの様々な組み合わせであってもよい。記憶媒体620は命令、データ又はそれら双方を保存するように動作することが可能である。図示される記憶媒体620は、実行可能なコンピュータプログラム、すなわち、経路算出エンジン602、シグナリングモジュール606、ディスカバリモジュール612及びルーティングモジュール610等を表現してもよい一群の又は一連の命令(命令群又は命令シーケンス)を含む。
【００５７】
図6にはネットワークインタフェース614も制御システム600に含まれるように示され、ネットワークインタフェース614は、プロセッサ608及びネットワーク630の間のインターフェースとして応対することが可能な適切なシステム、装置又はデバイスであってよい。ネットワークインタフェース614は、適切な伝送プロトコル又は規格を利用して、システム600が、ネットワーク630を介して通信できるようにする。一形態において、ネットワークインタフェース614は、ネットワーク630によりネットワークストレージリソースに通信可能に結合されてもよい。一形態において、ネットワーク630は、光ネットワーク101の少なくとも所定の部分についての一形態であってよい。ネットワーク630も、電気的又は電子的な媒体を用いるネットワークの所定の部分を含んでもよい。所定の形態において、ネットワーク630は、インターネット等のような公のネットワークのうちの少なくとも所定の部分を含んでもよい。ネットワーク630は、ハードウェア、ソフトウェア又はそれらの様々な組み合わせを用いて実現されてよい。
【００５８】
所定の形態において、制御システム600は、人(すなわち、ユーザー)とのインターフェースとなるように且つ光信号伝送経路に関するデータを受信するように構成されてもよい。例えば、制御システム600は、ユーザーから光信号伝送経路に関するデータを受信し、結果をユーザーに出力することを促す1つ以上の入力デバイス及び出力デバイスを包含する又はそれらに結合されてもよい。1つ以上の入力又は出力デバイス(図示せず)は、例えば、キーボード、マウス、タッチパッド、マイクロフォン、ディスプレイ、タッチスクリーンディスプレイ、オーディオスピーカ等を含んでもよいが、これらに限定されない。代替的又は追加的に、制御システム600は、例えばネットワーク630を介して、例えば他のコンピューティングデバイス又はネットワーク要素等のようなデバイスから、光信号伝送経路に関するデータを受信するように構成されてもよい。
【００５９】
図6に示されるように、一形態では、ディスカバリモジュール612は、光ネットワークにおける光信号伝送経路に関するデータを受信するように構成され、隣接するもの及び隣接するものとの間のリンクを発見する責務を有する。言い換えれば、ディスカバリモジュール612は、ディスカバリプロトコルに従ってディスカバリメッセージを送信し、光信号伝送経路に関するデータを受信してよい。一形態において、ディスカバリモジュール612は、例えば、ファイバのタイプ、ファイバの長さ、コンポーネントの数及びタイプ、データレート、データの変調フォーマット、光信号の入力パワー、信号搬送波の数又は番号(すなわち、チャネル)、チャネル間隔、トラフィック要請、及び、ネットワークトポロジ等に関する特徴を判定してよいが、これらに限定されない。
【００６０】
図6に示されるように、ルーティングモジュール610は、例えば光ネットワーク101のような光ネットワーク内の様々なノードに、リンク接続情報を伝搬する責務を有する。特定の形態において、ルーティングモジュール610は、トラフィックエンジニアリングをサポートするためのリソース情報をデータベース604に投入し、リソース情報はリンク帯域幅の利用可能性を含んでもよい。従って、データベース604は、ルーティングモジュール610により、光ネットワークのネットワークトポロジを決定するために使用可能な情報の投入を受ける。
【００６１】
経路算出エンジン602は、光信号伝送経路の伝送特徴を判定するために、ルーティングモジュール610がデータベース604に提供した情報を使用するように構成されてもよい。光信号伝送経路の伝送特徴は、光信号伝送経路の中で、どのように伝送劣化要因が光信号に影響するかに関する洞察を提供し、伝送劣化要因は、例えば、色分散(chromatic  dispersion：CD)、非線形(nonlinear：NL)効果、偏波モード分散(polarization  mode  dispersion：PMD)及び偏波依存性損失(polarization  dependent  loss：PDL)等のような極性効果、並びに、増幅された自然放出(amplified  spontaneous  emission：ASE)等である。光信号伝送経路の伝送特徴を判定するために、経路算出エンジン602は、伝送劣化要因同士の間の相互作用を考慮してもよい。様々な形態において、経路算出エンジン602は、特定の伝送劣化要因に対する値を生成してもよい。経路算出エンジン602は、更に、光信号伝送経路を記述するデータをデータベース604に保存してもよい。
【００６２】
図6において、シグナリングモジュール606は、例えば光ネットワーク101のような光ネットワークにおけるエンドトゥエンドネットワークサービスの設定、修正及びテアダウン(tearing  down)に関連する機能を提供してもよい。例えば、光ネットワークの入口ノードがサービスリクエストを受信する場合に、制御システム100は、シグナリングモジュール606を利用して、経路算出エンジン602によるネットワーク経路(例えば、帯域幅やコスト等のような様々な基準に従って最適化されたもの)を要求してもよい。所望の経路が識別されると、シグナリングモジュール606は、以後、要求されたネットワークサービスを設定するために、ネットワーク経路に沿って各ノードと通信してもよい。様々な形態において、シグナリングモジュール606は、ネットワーク経路に沿うノードへの及びそれらからの以後の通信を伝搬するシグナリングプロトコルを使用してもよい。
【００６３】
制御システム600の動作において、上記のスキャニング光フィルタ400におけるコントローラ412は、ネットワークの監視及び制御動作のために制御システム600と通信してもよい。例えば、OADMノードのような特定のネットワークノードでOSNRを測定することに関連して、コントローラ412は、特定の光チャネルに対応するチューナブル光フィルタモジュール404のための設定を受信してもよい。
【００６４】
本願で開示されるように、スペクトルオフセットを軽減するための方法及びシステムは、光チャネルのうちの或る信号帯域幅における様々な周波数(又は波長)をスキャンするために、スキャニング光フィルタを使用してよい。光チャネルの最大の光パワー値が正確に判定されるだかでなく、最大の光パワー値に対応する有効波長も判定される。
【００６５】
上記の開示される対象事項は、例示的であり、非限定的であると考えられるべきであり、添付の特許請求の範囲は、本開示の真の精神及び範囲内に属する修正、改善及び他の形態の全てを包含するように意図されている。すなわち、法律上認められる最も広い範囲内で、本開示の範囲は、以下の請求項及びそれらの均等物についての許容可能な最広義の解釈により決定されるべきであり、上記の詳細な説明によって制限及び限定されてはならない。
【図１】
0006597404.tif 000004
【図２】
0006597404.tif 000005
【図３】
0006597404.tif 000006
【図４】
0006597404.tif 000007
【図５】
0006597404.tif 000008
【図６】
0006597404.tif 000009